(57)【要約】【課題】充電用駐車場の充電設備を利用した車両の充電効率を向上させる充電効率管理装置、充電効率管理方法および充電効率管理システムを提供する。【解決手段】充電設備による車両の充電が完了したと判定された場合に、この車両に係るユーザの携帯端末８へ車両を充電用駐車場から移動するように促す通知情報を送信させ、記憶部１２が記憶する予約情報に基づいて特定した予約待ちのユーザに係る携帯端末８へ充電設備の利用案内情報を送信させる。【選択図】図１
2015116010.tif 000002
【特許請求の範囲】
【請求項１】
外部端末と通信を行う通信部と、
電気車両に搭載またはユーザに携帯されるユーザ端末から前記通信部が受信した充電の予約情報を記憶する記憶部と、
充電用駐車場における充電設備の使用状況を取得する情報取得部と、
前記充電設備の使用状況に基づいて、前記充電設備による電気車両の充電が完了したか否かを判定する判定部と、
前記充電設備による電気車両の充電が完了したと判定された場合に、前記通信部に指示して当該電気車両に係るユーザ端末へ当該電気車両を前記充電用駐車場から移動するように促す通知情報を送信させ、前記記憶部が記憶する前記予約情報に基づいて特定した予約待ちのユーザに係るユーザ端末へ当該充電設備の利用案内情報を送信させる通知制御部とを備える充電効率管理装置。
【請求項２】
前記情報取得部は、前記充電設備を有さない一般駐車場の駐車状況をさらに取得し、
前記判定部は、前記充電設備の使用状況と前記一般駐車場の駐車状況に基づいて、前記充電用駐車場のいずれの充電設備が使用中であるかおよび前記一般駐車場に空きがあるかを判定し、
前記通知制御部は、前記判定部によって前記一般駐車場に空きがありかつ前記充電設備による電気車両の充電が完了したと判定された場合に、前記通信部に指示して前記充電が完了した前記電気車両に係るユーザ端末に対し当該電気車両を前記一般駐車場へ移動するよう促す通知情報を送信させることを特徴とする請求項１記載の充電効率管理装置。
【請求項３】
前記情報取得部は、予め定めた端末の使用情報をさらに取得し、
前記判定部は、前記情報取得部が取得した前記使用情報に基づいて、前記充電用駐車場の充電設備で電気車両を充電中のユーザが前記予め定めた端末を使用したか否かを判定し、
前記通知制御部は、前記判定部によって当該ユーザが前記予め定めた端末を使用したと判定された場合に、前記通信部に指示して当該ユーザに係るユーザ端末または前記予め定めた端末へ充電継続を問い合わせる通知情報を送信させることを特徴とする請求項１記載の充電効率管理装置。
【請求項４】
前記通知制御部は、前記充電継続を問い合わせたユーザが充電を継続しないことを返信した場合に、前記通信部に指示して、当該ユーザに係る電気車両を前記充電用駐車場から移動するように促す通知情報を当該ユーザに係るユーザ端末または前記予め定めた端末へ送信させ、前記予約待ちのユーザに係るユーザ端末へ当該充電設備の利用案内情報を送信させることを特徴とする請求項３記載の充電効率管理装置。
【請求項５】
前記情報取得部は、前記充電設備を有さない一般駐車場の駐車状況をさらに取得し、
前記判定部は、前記充電設備の使用状況と前記一般駐車場の駐車状況に基づいて、前記充電用駐車場のいずれの充電設備が使用中であるかおよび前記一般駐車場に空きがあるかを判定し、
前記通知制御部は、前記充電を継続しないことを返信したユーザが前記電気車両を前記一般駐車場に移動したことが判定された場合、前記通信部に指示して、予め定めた条件で次回からの前記充電設備の利用を優先する優先情報を当該ユーザに係るユーザ端末に送信させることを特徴とする請求項４記載の充電効率管理装置。
【請求項６】
前記予め定めた端末は、前記充電用駐車場に係る店舗のポイントオブセール端末、前記充電用駐車場の駐車料金精算機、および前記店舗を出るユーザの認証を行う店舗出口端末の少なくとも一つであることを特徴とする請求項３記載の充電効率管理装置。
【請求項７】
充電用駐車場の充電設備による電気車両の充電効率を管理する充電効率管理方法であって、
通信部が、電気車両に搭載またはユーザに携帯されるユーザ端末から充電の予約情報を受信するステップと、
記憶部が、前記通信部が受信した充電の予約情報を記憶するステップと、
情報取得部が、前記充電用駐車場における充電設備の使用状況を取得するステップと、
判定部が、前記充電設備の使用状況に基づいて、前記充電設備による電気車両の充電が完了したか否かを判定するステップと、
通知制御部が、前記充電設備による電気車両の充電が完了したと判定された場合に、前記通信部に指示して当該電気車両に係るユーザ端末へ当該電気車両を前記充電用駐車場から移動するように促す通知情報を送信させ、前記記憶部が記憶する前記予約情報に基づいて特定した予約待ちのユーザに係るユーザ端末へ当該充電設備の利用案内情報を送信させるステップとを備える充電効率管理方法。
【請求項８】
充電用駐車場の充電設備による電気車両の充電効率を管理する充電効率管理システムであって、
外部端末と通信を行う通信部と、
電気車両に搭載またはユーザに携帯されるユーザ端末から前記通信部が受信した充電の予約情報を記憶する記憶部と、
充電用駐車場における充電設備の使用状況を取得する情報取得部と、
前記充電設備の使用状況に基づいて、前記充電設備による電気車両の充電が完了したか否かを判定する判定部と、
前記充電設備による電気車両の充電が完了したと判定された場合に、前記通信部に指示して当該電気車両に係るユーザ端末へ当該電気車両を前記充電用駐車場から移動するように促す通知情報を送信させ、前記記憶部が記憶する前記予約情報に基づいて特定した予約待ちのユーザに係るユーザ端末へ当該充電設備の利用案内情報を送信させる通知制御部とを備える充電効率管理システム。
【発明の詳細な説明】
【技術分野】
【０００１】
この発明は、駐車場の充電設備の充電効率を管理する充電効率管理装置、充電効率管理方法および充電効率管理システムに関する。
【背景技術】
【０００２】
特許文献１には、店舗における購入状況や駐車場の利用条件などに応じて、ＥＶ車両の運転者にポイントを付与する装置が開示されている。このポイントは駐車場の充電設備を優先的に使用する権利を与えるものである。ユーザが店舗の充電設備を利用する場合に、店舗側からは、少なくとも充電中はユーザが店舗に滞在するため、店舗の商品を購入する意欲がユーザに喚起されると期待でき、ユーザ側からはポイントによって店舗の駐車場の充電設備を利用できるといったメリットを与える。
また、特許文献２には、複数の充電方式（急速、中速、低速）や複数の充電方法（満充電、時間充電）をユーザが選択して充電予約し、この充電が完了したことをユーザの携帯端末に通知するシステムが開示されている。これにより、充電設備の効率的な利用が可能となる。
【先行技術文献】
【特許文献】
【０００３】
【特許文献１】特開２００９−１８３１３５号公報
【特許文献２】特開２０１１−１８２５８８号公報
【発明の概要】
【発明が解決しようとする課題】
【０００４】
しかしながら、特許文献１，２では、駐車場の充電設備で充電が完了したことをユーザに通知するだけであるため、充電の完了が通知されても車両自体を充電設備から退去してくれなければ、この充電設備を他のユーザに利用させることはできない。
また、他のユーザの利用が完了して充電設備が空いた場合であっても、この充電設備の空きは予約ユーザに通知されない。このため、そのとき駐車場にいたＥＶ車両のユーザ（予約ユーザ以外のユーザ）が空いた充電設備を使用してしまう可能性がある。
さらに、他のユーザの利用が完了して充電設備が空いたことが通知されないため、駐車場の全ての充電設備が使用されていた場合、いずれかの充電設備が空くまで駐車場で待つか、あるいは充電設備を有する他の駐車場へ移動する必要がある。
【０００５】
この発明は、上記のような課題を解決するためになされたもので、駐車場の充電設備を利用した電気車両の充電効率を向上させることができる充電効率管理装置、充電効率管理方法および充電効率管理システムを得ることを目的とする。
【課題を解決するための手段】
【０００６】
この発明に係る充電効率管理装置は、外部端末と通信を行う通信部と、電気車両に搭載またはユーザに携帯されるユーザ端末から通信部が受信した充電の予約情報を記憶する記憶部と、充電用駐車場における充電設備の使用状況を取得する情報取得部と、充電設備の使用状況に基づいて、充電設備による電気車両の充電が完了したか否かを判定する判定部と、充電設備による電気車両の充電が完了したと判定された場合に、通信部に指示して当該電気車両に係るユーザ端末へ当該電気車両を充電用駐車場から移動するように促す通知情報を送信させ、記憶部が記憶する予約情報に基づいて特定した予約待ちのユーザに係るユーザ端末へ当該充電設備の利用案内情報を送信させる通知制御部とを備える。
【発明の効果】
【０００７】
この発明によれば、駐車場の充電設備を利用した電気車両の充電効率を向上させることができるという効果がある。
【図面の簡単な説明】
【０００８】
【図１】この発明の実施の形態１に係る充電効率管理システムを示す図である。
【図２】制御部の機能構成を示すブロック図である。
【図３】実施の形態１における充電効率管理装置の動作を示すフローチャートである。
【図４】実施の形態１における車載器の動作を示すフローチャートである。
【図５】実施の形態１における充電効率管理装置の充電開始までの動作を示すフローチャートである。
【図６】実施の形態１における充電効率管理装置の充電完了までの動作を示すフローチャートである。
【図７】実施の形態１における充電完了時の携帯端末の処理を示すフローチャートである。
【図８】実施の形態１におけるＰＯＳ端末および充電管理端末の処理を示すフローチャートである。
【図９】実施の形態１における駐車料金精算機および充電管理端末の処理を示すフローチャートである。
【図１０】実施の形態１における店舗出入口端末および充電管理端末の処理を示すフローチャートである。
【図１１】実施の形態１における充電設備の利用を充電済み車両から予約待ち車両へ移行させる処理を示すフローチャートである。
【図１２】この発明の実施の形態２に係る充電効率管理装置の動作を示すフローチャートである。
【図１３】実施の形態２における車載器の動作を示すフローチャートである。
【図１４】この発明の実施の形態３に係る充電効率管理システムを示す図である。
【発明を実施するための形態】
【０００９】
実施の形態１．
近年、ショッピングモールなどの大店舗には多数の駐車スペースを有した駐車場があるが、電気車両（ＥＶ車、ＨＶ車）の車載バッテリを充電するための充電設備を有する充電用駐車場はあまり普及していない。ただし、今後は電気車両が普及して、充電用駐車場も増えることが予想される。そこで、本発明は充電用駐車場における充電効率を適切に管理する技術を提案するものである。
【００１０】
図１は、この発明の実施の形態１に係る充電効率管理システムを示す図である。図１に示す充電効率管理システムは、充電設備を有する充電用駐車場および充電設備を有さない一般駐車場における車両の駐車を管理することにより、充電設備による車両の充電効率を管理するシステムである。その構成として充電管理端末１を備えており、充電管理端末１は、充電装置２、表示装置３、駐車料金精算機４、ポイントオブセール（以下、ＰＯＳと略す）端末５および店舗出入口端末６と接続している。なお、この接続は有線または無線を問わない。
【００１１】
充電管理端末１は、充電用駐車場の充電設備による車両（電気車両）の充電効率を管理する充電効率管理装置であって、制御部１０、通信部１１、記憶部１２、表示制御部１３および充電制御部１４を備えて構成される。
通信部１１は、外部端末と通信を行う通信部である。外部端末には、ユーザの電気車両Ａに搭載された車載器７およびこのユーザが携帯する携帯端末８などのユーザ端末の他、充電装置２、表示装置３、駐車料金精算機４、ＰＯＳ端末５、店舗出入口端末６が挙げられる。また通信部１１は通知制御部１０ｃからの指示で外部端末に対して各種の通知情報を送信する。
【００１２】
記憶部１２は、ユーザ端末から通信部１１が受信した充電の予約情報を記憶する記憶部である。充電の予約情報には、例えば、ユーザが設定した滞在予想時間（いつまで待てるか）、充電方式（急速、中速、低速）、充電方法（満充電、時間充電）が含まれる。
また、記憶部１２は、ユーザごとの識別情報に紐付けて充電の予約情報を記憶している。この識別情報は、ユーザが本実施の形態によるシステムのサービスにユーザ登録した際に付与してもよいし、充電予約に際して例えば制御部１０の通知制御部１０ｃが予約したユーザに付与してもよい。
なお、記憶部１２は、例えば、充電管理端末１に搭載されたハードディスクドライブ（ＨＤＤ）装置、ＵＳＢメモリなどに構築される。また、記憶部１２は、充電管理端末１を備えず、通信部１１が通信アクセスして情報の取得が可能な外部装置に搭載されていてもよい。
【００１３】
表示制御部１３は、制御部１０の通知制御部１０ｃからの指示で表示装置３に通知情報を表示させる。表示装置３は、充電用駐車場に設置された表示装置であり、タッチパネルを備え、表示内容に応じたユーザ操作を入力することが可能である。表示装置３で受け付けられたユーザ操作は、情報取得部１０ａに通知される。例えば、表示装置３を用いて、ユーザが充電予約を行ってもよい。
【００１４】
充電制御部１４は、充電装置２による充電を制御する機能を有しており、ケーブル２ａおよびコネクタ２ｂから車両に繋がる充電設備ごとの充電可否を設定する。
また、充電制御部１４は、個々の充電設備の使用状況を制御部１０に通知する。
【００１５】
制御部１０は、充電用駐車場の充電設備による車両の充電効率を管理するための各種処理を行う制御部であり、図２に示すように、情報取得部１０ａ、判定部１０ｂおよび通知制御部１０ｃを備える。
情報取得部１０ａは、充電制御部１４から充電用駐車場における充電設備の使用状況を取得する。また、情報取得部１０ａは、充電設備の使用状況の他に、通信部１１を介して一般駐車場の駐車状況、充電用駐車場の駐車料金精算機４、充電用駐車場に係る店舗のＰＯＳ端末５、および、店舗を出るユーザの認証を行う店舗出入口端末６の使用情報を取得する。
【００１６】
なお、駐車料金精算機４、ＰＯＳ端末５および店舗出入口端末６は、使用情報を取得する対象として充電管理端末１に予め定められた端末である。
また、使用情報とは、充電用駐車場の充電設備で電気車両を充電しているユーザが上記端末を使用したか否かを示す情報である。
例えば、ユーザがユーザ端末を用いて上記予め定めた端末を使用する場合、充電設備による電気車両の充電時または充電予約時に通知制御部１０ｃがユーザに付与した識別情報をこの端末との間でやり取りする。情報取得部１０ａは、この識別情報に基づいてユーザによる予め定められた端末の使用を特定することができる。
【００１７】
一般駐車場の駐車状況は、充電管理端末１に接続されている駐車場ゲート４ａおよび監視カメラ４ｂから得られる。
駐車場ゲート４ａは一般駐車場の出入り口に設けられて車両を入退場させる装置であり、ゲートの開閉によって車両の入場および退場を検出することができる。充電管理端末１の情報取得部１０ａは、駐車場ゲート４ａが検出した車両の出入りを示す情報を駐車状況に関する情報として取得する。
また、監視カメラ４ｂは一般駐車場を撮影して車両の出入りを検出するカメラ装置である。例えば、一般駐車場を撮影した映像データを画像解析して、どの駐車スペースに車両が駐車しているかを示す情報を生成し情報取得部１０ａに出力する。
【００１８】
判定部１０ｂは、情報取得部１０ａが取得した充電設備の使用状況に基づいて充電設備による電気車両の充電が完了したか否かを判定する。
また、判定部１０ｂは、情報取得部１０ａが取得した充電設備の使用状況と一般駐車場の駐車状況に基づいて、充電用駐車場のいずれの充電設備が使用中であるか、および一般駐車場に空きがあるか否かを判定する。
さらに、判定部１０ｂは、情報取得部１０ａが取得した上記使用情報に基づいて、充電用駐車場の充電設備で電気車両を充電中のユーザが予め定められた端末を使用したか否かを判定する。
【００１９】
通知制御部１０ｃは、判定部１０ｂに充電設備による電気車両の充電が完了したと判定された場合に、通信部１１に指示して、当該電気車両に係るユーザのユーザ端末へ当該電気車両を充電用駐車場から移動するように促す通知情報を送信させる。
また通知制御部１０ｃは、記憶部１２が記憶する予約情報に基づいて予約待ちのユーザを特定し、通信部１１に指示して、予約待ちのユーザに係るユーザ端末へ当該充電設備の利用案内情報を送信させる。
【００２０】
また、通知制御部１０ｃは、判定部１０ｂによって一般駐車場に空きがあり、かつ充電設備による電気車両の充電が完了したと判定された場合に、通信部１１に指示して充電が完了した電気車両に係るユーザ端末に対し当該電気車両を一般駐車場へ移動するよう促す通知情報を送信させる。
さらに、通知制御部１０ｃは、判定部１０ｂによって充電設備を利用しているユーザが上記予め定めた端末を使用したと判定された場合に、通信部１１に指示して当該ユーザのユーザ端末または予め定められた端末へ充電継続を問い合わせる通知情報を送信させる。
【００２１】
なお、充電継続を問い合わせたユーザが充電を継続しないことを返信した場合は、通知制御部１０ｃが、通信部１１に指示して、当該ユーザの電気車両を充電用駐車場から移動するように促す通知情報を当該ユーザに係るユーザ端末または予め定めた端末へ送信させて、予約待ちのユーザに係るユーザ端末へ当該充電設備の利用案内情報を送信させる。
【００２２】
また、情報取得部１０ａ、判定部１０ｂ、通知制御部１０ｃ、通信部１１、表示制御部１３、および充電制御部１４は、例えば、この実施の形態に特有な処理が記述されたプログラムをマイクロコンピュータが実行することで、ハードウェアとソフトウェアとが協働した具体的な手段として実現することができる。
【００２３】
充電装置２は、充電用駐車場の充電設備を構成する装置の一つであり、ケーブル２ａに繋がるコネクタ２ｂを介して電気車両の充電を行う。ここでは充電装置２、ケーブル２ａおよびコネクタ２ｂで１つの充電設備が構成されているものとする。
また、コネクタ２ｂは充電用駐車場の駐車スペースごとに配置されており、充電装置２は、各駐車スペースのコネクタ２ｂとケーブル２ａを介して接続され、複数台の電気車両を同時に充電可能である。このとき、充電装置２は、充電制御部１４に動作が制御され、情報取得部１０ａは、充電制御部１４を介して各充電設備の使用状況を取得する。
【００２４】
駐車料金精算機４は、充電用駐車場の駐車料金の精算処理を行う端末である。ただし、本実施の形態に係る駐車料金精算機４は充電管理端末１に接続されており、充電管理端末１の通信部１１と通信する機能を有する。情報取得部１０ａは、通信部１１を介して駐車料金精算機４の使用情報を取得するとともに、駐車料金精算機４は、通信部１１から送信された通知情報を受信する。
【００２５】
ＰＯＳ端末５は、充電用駐車場に係る店舗の商品の購入料金の支払いを行う端末である。またＰＯＳ端末５は、駐車料金精算機４と同様に充電管理端末１に接続されており、充電管理端末１の通信部１１と通信する機能を有する。情報取得部１０ａは、通信部１１を介してＰＯＳ端末５の使用情報を取得するとともに、ＰＯＳ端末５は、通信部１１から送信された通知情報を受信する。
【００２６】
店舗出入口端末６は、充電用駐車場に係る店舗の出入り口に設置された端末であって、ユーザが携帯する携帯端末８と通信してユーザの識別情報を受信することにより、ユーザによる店舗の出入りを管理する。また、駐車料金精算機４およびＰＯＳ端末５と同様に、店舗出入口端末６は充電管理端末１に接続されており、充電管理端末１の通信部１１と通信する機能を有する。情報取得部１０ａは、通信部１１を介して店舗出入口端末６の使用情報を取得するとともに、店舗出入口端末６は、通信部１１から送信された通知情報を受信する。
【００２７】
本実施の形態に係る充電効率管理システムでは、ユーザが予めユーザ登録してもよい。
例えば、少なくとも個人名、車両ナンバー、ユーザに係る車載器７あるいは携帯端末８の連絡先（メールアドレス）を登録情報とする。
充電管理端末１は、インターネットなどを介して閲覧可能なユーザ登録用画面データを管理しており、ユーザは、自身に係るユーザ端末（車載器７または携帯端末８）を使用して、ウェブブラウザを介してユーザ登録用画面を閲覧してユーザ登録を行う。
または、充電管理端末１が、充電用駐車場に備え付けの表示装置３にユーザ登録用画面を表示してタッチパネルを用いたユーザ登録を受け付けてもよい。
さらには、ユーザ端末が通信部１１と通信してユーザ登録情報を直接送信してもよい。
充電管理端末１は、上述のようにしてユーザ登録情報を受けると、ユーザに識別情報を付与し、この識別情報に紐付けて登録情報を記憶部１２に記憶する。
【００２８】
また、充電用駐車場を利用する場合に全ての充電設備が使用中であれば充電予約を行う必要がある。ユーザは、ユーザ端末を用いて充電予約情報を充電管理端末１に登録する。
充電予約情報は、例えば、ユーザの識別情報、ユーザの滞在予想時間、希望の充電量（満充電の要否）などを含む情報であり、滞在予想時間とはユーザが充電用駐車場に係る店舗に滞在すると予想される時間であり、希望の充電量は充電の完了時刻を予想する際に使用可能である。
【００２９】
充電管理端末１の判定部１０ｂは、現在の充電状況および充電の予約情報に基づいて、いずれかの充電設備で充電が完了したときに残りの滞在予想時間を考慮してどの予約待ちユーザに利用案内を行うか、および希望の充電量を考慮して充電設備がどの時間で空くかを判断する。この判断結果に応じて通知制御部１０ｃが通知情報をユーザ端末または表示装置３に返信する。
【００３０】
例えば、いずれかの充電設備で充電が完了したときに残りの滞在予想時間で希望の充電量の充電が可能な予約待ちユーザのユーザ端末に対して充電設備の利用案内を送信する。
また、希望の充電量から充電が完了しようとしている場合には、この充電を行っているユーザのユーザ端末に充電用駐車場からの車両の移動を促す通知情報を送信する。
なお、車載器７で予約画面を表示する場合、狭域通信（ＤＳＲＣ；Ｄｅｄｉｃａｔｅｄ  Ｓｈｏｒｔ  Ｒａｎｇｅ  Ｃｏｍｍｕｎｉｃａｔｉｏｎ）といった路車間通信を用いて、車両Ａが充電用駐車場に接近したときに自動的に画面表示させてもよい。
【００３１】
次に動作について説明する。
図３は、実施の形態１における充電効率管理装置の動作を示すフローチャートであり、充電効率管理装置として機能する充電管理端末１の動作を示している。また図４は実施の形態１における車載器の動作を示すフローチャートであって、充電管理端末１による図３の動作に応じて車載器７が行う動作である。なお図４の動作は車載器７の代わりに携帯端末８が行ってもよい。
【００３２】
充電管理端末１は待機状態から処理を開始する。このとき充電管理端末１の通信部１１が、充電管理端末１の周辺にＥＶ車両が存在するか否かを確認するための車両有無確認メッセージを送信する（ステップＳＴ１）。例えば、通信部１１が充電管理端末１の周辺を通信圏内とする無線通信（ＷｉＦｉ、ＤＳＲＣなど）によって車両有無確認メッセージを配信する。
充電管理端末１の判定部１０ｂは、通信部１１によって送信された車両有無確認メッセージに対する応答があるか否かを判定する（ステップＳＴ２）。
応答がない場合（ステップＳＴ２；ＮＯ）、ステップＳＴ１に戻り、上述の処理を一定の間隔（例えば、１秒）で繰り返す。
【００３３】
車両Ａの車載器７は、充電管理端末１からのメッセージの待ち状態にあり、メッセージを受信したか否かを判定している（ステップＳＴ１ａ）。車載器７が、メッセージを受信したと判定した場合（ステップＳＴ１ａ；ＹＥＳ）、このメッセージ内容を確認する。
充電管理端末１からのメッセージが車両有無確認メッセージである場合（ステップＳＴ２ａ）、車載器７は、車両ＡがＥＶ車両であるか否かを示す応答メッセージを充電管理端末１に送信する（ステップＳＴ３ａ）。ここでは、車両ＡがＥＶ車両であるので、車載器７は、車両ＡがＥＶ車両であることを示す応答メッセージが充電管理端末１へ送られる。
なお、車載器７は、ユーザ登録時に付与されたユーザ識別情報を応答メッセージに付加して充電管理端末１へ送信する。
【００３４】
車載器７から車両有無確認メッセージの応答があった場合（ステップＳＴ２；ＹＥＳ）、判定部１０ｂは、応答メッセージに付加された識別情報と記憶部１２の登録内容とを照合して、登録されたユーザであるか否かを確認する（ステップＳＴ３）。
登録されたユーザでない場合（ステップＳＴ３；ＮＯ）、判定部１０ｂは、この判定結果を通知制御部１０ｃへ送る。通知制御部１０ｃは、この判定結果を受けると、通信部１１に指示して当該システムへの登録案内を車載器７へ送信する（ステップＳＴ４）。
【００３５】
車載器７は、充電管理端末１からのメッセージが登録案内の場合（ステップＳＴ５ａ）、ユーザ登録を実施するか否かを確認する（ステップＳＴ６ａ）。
ここでユーザから登録を実施する旨が入力された場合（ステップＳＴ６ａ；ＹＥＳ）、車載器７は、ユーザ登録画面を表示部に表示する（ステップＳＴ７ａ）。
登録画面は、ユーザの個人名、車両ナンバー、ユーザに係る車載器７あるいは携帯端末８の連絡先（メールアドレス）を入力する画面であり、この画面を基に入力された情報が車載器７から充電管理端末１へ送信される（ステップＳＴ８ａ）。
またユーザから登録を実施しないことが入力された場合（ステップＳＴ６ａ；ＮＯ）、車載器７は、充電管理端末１へ登録不要であることを送信する（ステップＳＴ９ａ）。
【００３６】
一方、登録されたユーザであると判定した場合（ステップＳＴ３；ＹＥＳ）、判定部１０ｂは、この判定結果を通知制御部１０ｃへ送る。通知制御部１０ｃは、この判定結果を受けると、表示制御部１３に指示して充電用駐車場における充電設備の現在の使用状況（充電設備の空きの有無や充電完了の見込み時間）を表示装置３に表示させ、通信部１１に指示して上記使用状況を車載器７へ送信する（ステップＳＴ５）。
車載器７は、充電管理端末１から送信されてきた現在のシステム利用状況（充電設備の使用状況）を示す情報を受信する（ステップＳＴ４ａ）。
【００３７】
充電管理端末１の判定部１０ｂは、情報取得部１０ａに取得された充電設備の使用状況に基づいて、充電用駐車場が満車、すなわち、全ての充電設備が使用されているか否かを判定している（ステップＳＴ６）。
充電用駐車場の充電設備に空きがある場合（ステップＳＴ６；ＮＯ）、充電管理端末１は処理を終了する。このとき車両Ａに係るユーザは空いている充電設備を使用して車両Ａの充電を開始すればよい。
充電用駐車場が満車である場合（ステップＳＴ６；ＹＥＳ）、判定部１０ｂは、この判定結果を通知制御部１０ｃに送る。通知制御部１０ｃは、この判定結果を受けると、通信部１１に指示して予約確認を車載器７へ送信する（ステップＳＴ７）。
【００３８】
車載器７は、充電管理端末１からのメッセージが予約確認である場合（ステップＳＴ１０ａ）、ユーザに予約を行うか否かを確認する（ステップＳＴ１１ａ）。例えば、車載器７が、ステップＳＴ４ａで充電管理端末１から受信した現在の充電設備の使用状況を表示部に表示する。これにより、ユーザは、画面表示された上記使用状況に基づいて予約可否を判断する。
【００３９】
ユーザから予約を行う旨が入力された場合（ステップＳＴ１１ａ；ＹＥＳ）、車載器７は、予約情報を入力する予約画面を表示部に表示する（ステップＳＴ１２ａ）。
予約画面は、ユーザの識別情報、ユーザの滞在予想時間、希望の充電量（満充電の要否）などを入力する画面であり、この画面を基に入力された情報が車載器７から充電管理端末１へ送信される（ステップＳＴ１３ａ）。
またユーザから予約を行わないことが入力された場合（ステップＳＴ１１ａ；ＮＯ）、車載器７は、充電管理端末１へ予約不要であることを送信する（ステップＳＴ１４ａ）。
【００４０】
次に、充電管理端末１の判定部１０ｂは、通信部１１を介して情報取得部１０ａが車載器７から予約情報を取得したか否かに基づいて、車載器７のユーザが予約を行うか否かを判定する（ステップＳＴ８）。予約情報が取得されず、予約不要であると判定した場合（ステップＳＴ８；ＮＯ）、処理を終了する。
予約情報が取得されて予約を行うと判定した場合（ステップＳＴ８；ＹＥＳ）、判定部１０ｂは、この予約情報をユーザの識別情報に紐付けて記憶部１２に登録する（ステップＳＴ９）。
【００４１】
次に充電開始時の動作について説明する。
図５は、実施の形態１における充電効率管理装置の充電開始までの動作を示すフローチャートである。なお、以降では、充電管理端末１の通信相手が車載器７である場合を例に挙げて説明するが、充電管理端末１は携帯端末８に通知情報を送信してもよい。
図５の動作に入る前処理として、ユーザが車両Ａを充電用駐車場の駐車スペースに駐車し、車両Ａにコネクタ２ｂを装着して表示装置３のタッチ操作で充電開始を指示する。
【００４２】
判定部１０ｂは記憶部１２から予約情報を読み出す（ステップＳＴ１ｂ）。
この後、判定部１０ｂは、読み出した予約情報に基づいて予約待ちの予約があるか否かを判定する（ステップＳＴ２ｂ）。充電予約がある場合（ステップＳＴ２ｂ；ＹＥＳ）、判定部１０ｂは、この判定結果を通知制御部１０ｃに送る。
通知制御部１０ｃは、この判定結果を受けると、表示制御部１３に指示して、予約照会画面を表示装置３に表示させる（ステップＳＴ３ｂ）。このようにして、予約照会画面に基づいたユーザ識別情報などの入力を促す。
【００４３】
次に、判定部１０ｂは、車両Ａの充電を開始しようとしているユーザの予約情報が予約待ちの予約と一致するか否かを判定する（ステップＳＴ４ｂ）。
予約待ちの予約と一致しない場合（ステップＳＴ４ｂ；ＮＯ）、判定部１０ｂは、この判定結果を通知制御部１０ｃに送る。
通知制御部１０ｃは、この判定結果を受けると、表示制御部１３に指示して、予約待ちのユーザがいて今回の充電を行えるユーザではないことを示す予約不一致画面を表示装置３に表示させる（ステップＳＴ５ｂ）。この場合、ユーザは、自身の予約が可能になるまで充電設備を利用できず待ち状態となる。
【００４４】
予約待ちの予約と一致する場合（ステップＳＴ４ｂ；ＹＥＳ）、通知制御部１０ｃは、表示制御部１３に指示して、予約待ちのユーザと今回充電を行うユーザが一致したことを示す予約一致画面を表示装置３に表示させる（ステップＳＴ６ｂ）。
次に、通知制御部１０ｃは、記憶部１２に登録されている今回充電を行うユーザの予約情報を“充電中”に更新する（ステップＳＴ７ｂ）。この後、通知制御部１０ｃが、充電制御部１４に指示して充電装置２に充電可能にすべきことを通知する。充電装置２では、この通知を受けると、ケーブル２ａを介して車両に電力を供給して車両の充電を開始する（ステップＳＴ８ｂ）。
【００４５】
なお、予約待ちのユーザと今回充電を行うユーザが一致するか否かの確認は、上述したように表示装置３の画面表示で行う場合に限らず、充電管理端末１と車載器７とが相互に通信して確認してもよい。
相互通信で確認する場合は、充電用駐車場の入り口に予約のない車両が進入することを防止する機構を設けておき、充電管理端末１が予約された車両であることを確認すると、この機構を制御して予約車両が駐車スペース内に入れるようにする。
このようにすることで、予約のない車両が充電用駐車場に不要に進入することを防止でき、充電設備の効率的な使用が可能となる。
なお、上記機構としては、例えば、地面から昇降可能な車止めなどが考えられ、充電管理端末１が、車載器７との間で相互通信により上記確認ができた場合に昇状態の車止めを下降させて車両を進入させる。
【００４６】
また、ステップＳＴ１ｂの前処理として、通知制御部１０ｃは、判定部１０ｂによって一般駐車場に空きがありかつ充電設備による車両の充電が完了したと判定された場合に、通信部１１に指示して充電が完了した車両に搭載された車載器７に対し当該車両を一般駐車場へ移動するよう促す通知情報を送信させてもよい。このようにすることで、これまで充電を行っていた車両を充電用駐車場からスムーズに移動させてから、予約車両の充電を的確に開始させることができる。
なお、一般駐車場に空きがある場合、通知制御部１０ｃが駐車場ゲート４ａに指示して充電済み車両を移動させる駐車スペースを確保してもよい。また、通知制御部１０ｃが、通信部１１に指示して一般駐車場への経路を車載器７に送信してもよい。このようにすることで、充電済み車両を充電用駐車場からさらにスムーズに移動させることができる。
【００４７】
次に充電完了時の動作について説明する。
図６は、実施の形態１における充電効率管理装置の充電完了までの動作を示すフローチャートである。また、図７は、実施の形態１における充電完了時の携帯端末の処理を示すフローチャートである。
充電管理端末１の判定部１０ｂは、情報取得部１０ａによって充電制御部１４から取得された充電設備の使用状況に基づいて、現在使用されている充電設備による車両の充電が完了したか否かを判定する。
満充電またはユーザが希望した充電量で車両の充電が完了した場合、判定部１０ｂは、この判定結果を通知制御部１０ｃに送る。通知制御部１０ｃは、判定部１０ｂからの通知を受けると、通信部１１に指示して、充電が完了したユーザの携帯端末８に充電の完了を示す完了通知を送信する（ステップＳＴ１ｃ）。
【００４８】
次に、判定部１０ｂは、記憶部１２に予約情報が保存されているか否かに基づいて充電の予約待ちがあるか否かを判定する（ステップＳＴ２ｃ）。ここで、予約情報がなく予約待ちがなければ（ステップＳＴ２ｃ；ＮＯ）、処理を終了する。
予約待ちがある場合（ステップＳＴ２ｃ；ＹＥＳ）、判定部１０ｂは、この判定結果を通知制御部１０ｃに送る。通知制御部１０ｃは、この判定結果を受けると、通信部１１に指示して、充電が完了したユーザの携帯端末８へ移動依頼を送信する（ステップＳＴ３ｃ）。なお、移動依頼は、車両を一般駐車場へ移動することを促す依頼メッセージである。例えば、移動を促すテキスト情報および充電用駐車場から一般駐車場までの案内経路から構成される。
【００４９】
携帯端末８は、充電管理端末１から移動依頼を受信すると、これを表示部に移動依頼画面として表示する（ステップＳＴ１ｄ）。例えば、移動を促すテキスト情報および充電用駐車場から一般駐車場までの案内経路が移動依頼画面として表示される。
携帯端末８は、移動依頼画面に基づいてユーザに移動が受託されたか否かを判定する（ステップＳＴ２ｄ）。ここで、ユーザが車両を移動しないことを携帯端末８に入力すると、携帯端末８は、移動拒否応答を充電管理端末１へ送信する（ステップＳＴ３ｄ）。
また、ユーザが車両を移動することを携帯端末８に入力すると、携帯端末８は、移動受託応答を充電管理端末１へ送信する（ステップＳＴ４ｄ）。
【００５０】
充電管理端末１の判定部１０ｂは、通信部１１を介して情報取得部１０ａが携帯端末８から取得した応答内容に基づいて、ユーザに移動が受託されたか否かを判定する（ステップＳＴ４ｃ）。ここで、携帯端末８から移動拒否応答があり、移動が拒否された場合（ステップＳＴ４ｃ；ＮＯ）、処理を終了する。
【００５１】
一方、携帯端末８から移動受託応答があり、移動が受託されたと判定した場合（ステップＳＴ４ｃ；ＹＥＳ）、判定部１０ｂは、この判定結果を通知制御部１０ｃに送る。通知制御部１０ｃは、この判定結果を受けると、記憶部１２が記憶する予約情報に基づいて予約待ちのユーザを特定し、通信部１１に指示して、このユーザに係るユーザ端末（車載器７または携帯端末８）に充電設備の利用案内情報を通知する（ステップＳＴ５ｃ）。
利用案内情報とは、充電設備が直ちに利用可能になることを示す情報であり、例えば、“もうすぐ充電用駐車場が空きます”といったテキスト情報に加え、どの駐車スペースの充電設備が空いたかを示す駐車場内地図情報などを提示する情報である。
【００５２】
次にユーザが店舗の滞在を終了（帰宅）する際の処理について説明する。
図８は、実施の形態１におけるＰＯＳ端末および充電管理端末の処理を示すフローチャートであって、車両を充電しているユーザが店舗でＰＯＳ端末５を使用した場合の処理を示している。ＰＯＳ端末５は、店舗で買い物を行うユーザによって料金の精算がなされた場合（ステップＳＴ１ｅ）、この料金精算時に使用されたユーザカードまたは駐車券などの情報からユーザの識別情報を取得する。この識別情報は、ＰＯＳ端末５から充電管理端末１へ送信される。
【００５３】
充電管理端末１の判定部１０ｂは、通信部１１を介して情報取得部１０ａがＰＯＳ端末５から取得した識別情報に基づいて記憶部１２の登録内容を検索し、ＰＯＳ端末５を使用したユーザが車両を充電中であるか否かを判定する（ステップＳＴ２ｅ）。このユーザが車両を充電中でなければ（ステップＳＴ２ｅ；ＮＯ）、処理を終了する。
ＰＯＳ端末５を使用したユーザが車両を充電中であると判定した場合（ステップＳＴ２ｅ；ＹＥＳ）、判定部１０ｂは、記憶部１２に記憶された予約情報を参照して予約待ちのユーザがいるか否かを判定する（ステップＳＴ３ｅ）。ここで予約待ちユーザがいなければ（ステップＳＴ３ｅ；ＮＯ）、処理を終了する。
【００５４】
予約待ちのユーザがいると判定した場合（ステップＳＴ３ｅ；ＹＥＳ）、判定部１０ｂは、この判定結果を通知制御部１０ｃに送る。通知制御部１０ｃは、この判定結果を受けると、通信部１１に指示して、ユーザの帰宅確認情報をＰＯＳ端末５に送信する。これにより、ＰＯＳ端末５の精算画面に帰宅確認が表示される（ステップＳＴ４ｅ）。
なお、最近では、アルコール購入時の年齢確認などのためにタッチパネル付きのディスプレイがＰＯＳ端末５に常設されており、このディスプレイを利用して帰宅の有無を選択するタッチ操作を受け付ける。
【００５５】
判定部１０ｂは、通信部１１を介して情報取得部１０ａがＰＯＳ端末５から取得した応答情報（帰宅の有無のタッチ操作情報など）に基づいて、ＰＯＳ端末５を使用したユーザが帰宅するか否かを判定する（ステップＳＴ５ｅ）。ユーザが帰宅しない場合（ステップＳＴ５ｅ；ＮＯ）、処理を終了する。
【００５６】
ユーザが帰宅する場合（ステップＳＴ５ｅ；ＹＥＳ）、判定部１０ｂは、この判定結果と予約待ちユーザの識別情報を通知制御部１０ｃに送る。通知制御部１０ｃは、この判定結果および識別情報を受けると、通信部１１に指示して、予約待ちユーザの携帯端末８に充電設備の利用案内情報を送信する（ステップＳＴ６ｅ）。これにより、携帯端末８は、例えば“もうすぐ充電用駐車場が空きます”といったテキスト情報に加え、どの駐車スペースの充電設備が空いたかを示す駐車場内地図情報などを利用案内情報として提示する。
【００５７】
図９は、実施の形態１における駐車料金精算機および充電管理端末の処理を示すフローチャートであり、車両を充電しているユーザが充電用駐車場の駐車料金精算機４を使用した場合の処理を示している。
駐車料金精算機４は、ユーザによって駐車料金の精算がなされた場合（ステップＳＴ１ｆ）、この料金精算時に使用されたユーザカードまたは駐車券などの情報からユーザの識別情報を取得する。この識別情報は駐車料金精算機４から充電管理端末１へ送信される。
なお、ステップＳＴ２ｆからステップＳＴ６ｆまでの処理は、図８のステップＳＴ２ｅからステップＳＴ６ｅまでにおけるＰＯＳ端末５を駐車料金精算機４に置き換えた処理と同様である。
【００５８】
図１０は、実施の形態１における店舗出入口端末および充電管理端末の処理を示すフローチャートであり、車両を充電しているユーザが店舗出入口端末６を使用した場合の処理を示している。店舗出入口端末６は、ユーザが店舗の出入り口を通り過ぎる際にユーザ認証を行う端末であり、例えば、ユーザが買い物などに利用するポイントカードに内蔵されたＩＤタグと通信してユーザの識別情報を取得する。この識別情報は、店舗出入口端末６から充電管理端末１へ送信される。
【００５９】
充電管理端末１の判定部１０ｂは、通信部１１を介して情報取得部１０ａが店舗出入口端末６から取得した識別情報に基づいて記憶部１２の登録内容を検索することによって、店舗出入口端末６を使用した（認証された）ユーザが、登録されたユーザであるか否かを判定する（ステップＳＴ１ｇ）。登録されたユーザでなければ（ステップＳＴ１ｇ；ＮＯ）、ステップＳＴ１ｇの判定を繰り返す。
【００６０】
判定部１０ｂは、店舗出入口端末６を使用したユーザが登録されたユーザであると判定した場合（ステップＳＴ１ｇ；ＹＥＳ）、このユーザに係るユーザ情報を記憶部１２から読み出して取得する（ステップＳＴ２ｇ）。
次に判定部１０ｂは、記憶部１２から取得したユーザ情報に基づいて店舗出入口端末６を使用したユーザが車両を充電中であるか否かを判定する（ステップＳＴ３ｇ）。
このユーザが車両を充電中でなければ（ステップＳＴ３ｇ；ＮＯ）、処理を終了する。
【００６１】
店舗出入口端末６を使用したユーザが車両を充電中であると判定した場合（ステップＳＴ３ｇ；ＹＥＳ）、判定部１０ｂは、記憶部１２が記憶する予約情報を参照することで、予約待ちのユーザがいるか否かを判定する（ステップＳＴ４ｇ）。ここで予約待ちユーザがいなければ（ステップＳＴ４ｇ；ＮＯ）、処理を終了する。
【００６２】
予約待ちのユーザがいると判定した場合（ステップＳＴ４ｇ；ＹＥＳ）、判定部１０ｂは、この判定結果を通知制御部１０ｃに送る。通知制御部１０ｃは、この判定結果を受けると、通信部１１に指示して、ユーザの帰宅確認メッセージを、このユーザの携帯端末８に送信する（ステップＳＴ５ｇ）。これにより、携帯端末８の表示画面に帰宅確認が表示される。なお、最近では、タッチパネル付き表示部を有した携帯端末８が普及しており、この表示部を利用して帰宅の有無を選択するタッチ操作を受け付ける。
【００６３】
判定部１０ｂは、通信部１１を介して情報取得部１０ａが携帯端末８から取得した応答情報（帰宅の有無のタッチ操作情報など）に基づいて店舗出入口端末６を使用したユーザが帰宅するか否かを判定する（ステップＳＴ６ｇ）。ユーザが帰宅しない場合（ステップＳＴ６ｇ；ＮＯ）、処理を終了する。
【００６４】
ユーザが帰宅する場合（ステップＳＴ６ｇ；ＹＥＳ）、判定部１０ｂは、この判定結果と予約待ちユーザの識別情報を通知制御部１０ｃに送る。通知制御部１０ｃは、この判定結果および識別情報を受けると、通信部１１に指示して、予約待ちユーザのユーザ端末に充電設備の利用案内情報を送信する（ステップＳＴ７ｇ）。これにより、携帯端末８は、例えば“もうすぐ充電用駐車場が空きます”といったテキスト情報に加え、どの駐車スペースの充電設備が空いたかを示す駐車場内地図情報などを利用案内情報として提示する。
【００６５】
このように、本実施の形態では、充電用駐車場で車両を充電中のユーザが駐車料金精算機４、ＰＯＳ端末５および店舗出入口端末６を使用して、充電用駐車場に係る店舗から帰宅する可能性があるタイミングで、帰宅確認、すなわち充電を継続する意思があるかどうかを確認する。これにより充電済み車両が充電用駐車場に駐車し続けることが抑制され、利用可能となった充電設備で直ちに予約待ち車両の充電を開始させることが可能となる。
【００６６】
次に駐車場退去時の動作について説明する。
図１１は実施の形態１における充電設備の利用を充電済み車両から予約待ち車両へ移行させる処理を示すフローチャートである。図８〜１０においてはユーザが帰宅しないことを応答すると処理を終了していたが、下記の処理を行ってもよい。
充電管理端末１の判定部１０ｂは、ユーザが帰宅しないことを応答した場合に、記憶部１２が記憶する予約情報を参照して予約待ちのユーザがいるか否かを判定する（ステップＳＴ１ｈ）。ここで予約待ちユーザがいなければ（ステップＳＴ１ｈ；ＮＯ）、処理を終了する。
【００６７】
予約待ちのユーザがいると判定した場合（ステップＳＴ１ｈ；ＹＥＳ）、この判定結果を通知制御部１０ｃに送る。通知制御部１０ｃは、この判定結果を受けると、通信部１１に指示して充電が完了したユーザの携帯端末８へ移動依頼を送信する（ステップＳＴ２ｈ）。なお、移動依頼は、車両を一般駐車場へ移動することを促す依頼メッセージである。例えば、移動を促すテキスト情報および充電用駐車場から一般駐車場までの案内経路から構成される。
【００６８】
判定部１０ｂは、通信部１１を介して情報取得部１０ａが携帯端末８から取得した応答内容に基づいて、ユーザに移動が受託されたか否かを判定する（ステップＳＴ３ｈ）。
ここで、携帯端末８から移動拒否応答があり移動が拒否された場合（ステップＳＴ３ｈ；ＮＯ）、処理を終了する。
【００６９】
一方、携帯端末８から移動受託応答があり移動が受託されたと判定した場合（ステップＳＴ３ｈ；ＹＥＳ）、判定部１０ｂは、情報取得部１０ａが取得した充電設備の使用状況および一般駐車場の駐車状況に基づいて、移動受託応答を行ったユーザに係る車両の一般駐車場への移動が完了したか否かを判定する（ステップＳＴ４ｈ）。ここで、移動が完了していなければ（ステップＳＴ４ｈ；ＮＯ）、移動が完了するまで判定を繰り返す。
【００７０】
移動が完了した場合（ステップＳＴ４ｈ；ＹＥＳ）、判定部１０ｂは、この判定結果を通知制御部１０ｃに送る。通知制御部１０ｃは、この判定結果を受けると、通信部１１に指示して予約待ちのユーザの携帯端末８に充電設備の利用案内情報を通知する（ステップＳＴ５ｈ）。このようにすることで、充電を予約したユーザに迅速に利用案内を行うことができ、充電設備の利用が可能になった場合に直ちに利用させることが可能になるので、充電用駐車場の利用効率を格段に高めることができる。
【００７１】
なお、帰宅しないと応答したが、ユーザが自発的に車両を一般駐車場へ移動させた場合には、ステップＳＴ２ｈおよびステップＳＴ３ｈの処理を省略して、予約待ちのユーザの携帯端末８に充電設備の利用案内情報を通知してもよい。
例えば、ステップＳＴ１ｈで予約待ちのユーザがいると判定した場合に、まず、判定部１０ｂが、情報取得部１０ａが取得した充電設備の使用状況および一般駐車場の駐車状況に基づいて充電済み車両が一般駐車場へ移動したか否かを判定する。ここで充電済み車両が一般駐車場へ移動したと判定されなかった場合に、ステップＳＴ２ｈの移動依頼を行い、ステップＳＴ３ｈ以降の処理を行う。
一方、充電済み車両が自発的に一般駐車場へ移動したことが確認された場合には、予約待ちのユーザの携帯端末８に対して充電設備の利用案内情報を通知する。このようにすることでも、充電を予約したユーザに迅速に利用案内を行うことができ、充電設備の利用が可能になった場合に直ちに利用させることが可能になるので、充電用駐車場の利用効率を格段に高めることができる。
【００７２】
以上のように、この実施の形態１によれば、外部端末と通信を行う通信部１１と、電気車両に搭載またはユーザに携帯されるユーザ端末から通信部１１が受信した充電の予約情報を記憶する記憶部１２と、充電用駐車場における充電設備の使用状況を取得する情報取得部１０ａと、充電設備の使用状況に基づいて、充電設備による電気車両の充電が完了したか否かを判定する判定部１０ｂと、充電設備による車両の充電が完了したと判定された場合に、通信部１１に指示して充電済み車両に係るユーザの携帯端末８へ充電済み車両を充電用駐車場から移動するように促す通知情報を送信させ、記憶部１２が記憶する予約情報に基づいて特定した予約待ちのユーザの携帯端末８へ当該充電設備の利用案内情報を送信させる通知制御部１０ｃとを備える。このように構成することで、充電済み車両が充電用駐車場に駐車し続けることが抑制され、利用可能となった充電設備で直ちに充電を開始することが可能となる。これにより充電用駐車場の充電設備を利用した車両の充電効率を向上させることができる。
【００７３】
また、この実施の形態１によれば、情報取得部１０ａが充電設備を有さない一般駐車場の駐車状況をさらに取得し、判定部１０ｂが、充電設備の使用状況および一般駐車場の駐車状況に基づいて、充電用駐車場のいずれの充電設備が使用中であるかおよび一般駐車場に空きがあるかを判定し、通知制御部１０ｃが、判定部１０ｂによって一般駐車場に空きがありかつ充電設備による車両の充電が完了したと判定された場合に、通信部１１に指示して充電が完了した車両に係るユーザ端末に対し当該車両を一般駐車場へ移動するよう促す通知情報を送信させる。このように、充電が完了したときに充電済み車両をどこに移動すればよいかをユーザに提示して移動を促すことで、充電済み車両が充電用駐車場に駐車し続けることをさらに抑制することができ、利用可能となった充電設備で直ちに充電を開始することが可能となる。
【００７４】
さらに、この実施の形態１によれば、情報取得部１０ａが、駐車料金精算機４、ＰＯＳ端末５および店舗出入口端末６といった予め定めた端末の使用情報をさらに取得し、判定部１０ｂが、情報取得部１０ａが取得した使用情報に基づいて、充電用駐車場の充電設備で電気車両を充電中のユーザが予め定めた端末を使用したか否かを判定し、通知制御部１０ｃが、判定部１０ｂによって当該ユーザが予め定めた端末を使用したと判定された場合に、通信部１１に指示して当該ユーザに係るユーザ端末または予め定めた端末へ充電継続を問い合わせる通知情報を送信させる。
このように充電用駐車場で車両を充電中のユーザが予め定めた端末を使用して充電用駐車場に係る店舗から帰宅する可能性があるタイミングで充電を継続する意思があるかどうかを確認する。これにより充電済み車両が充電用駐車場に駐車し続けることが抑制され、利用可能となった充電設備で直ちに充電を開始することが可能となる。
【００７５】
さらに、この実施の形態１によれば、通知制御部１０ｃが、上述したように充電継続を問い合わせたユーザが充電を継続しないことを返信した場合に、通信部１１に指示して、当該ユーザに係る車両を充電用駐車場から移動するよう促す通知情報を携帯端末８または予め定めた端末へ送信させて、予約待ちのユーザの携帯端末８へ当該充電設備の利用案内情報を送信させる。このように店舗から帰宅する意思がないユーザに対して充電済み車両を充電用駐車場から移動するように促すことにより、充電済み車両が充電用駐車場に駐車し続けることが抑制される。
【００７６】
実施の形態２．
実施の形態２に係る充電効率管理システムは、実施の形態１で示したシステムと基本的な構成は同一であるが、充電済み車両のユーザが充電用駐車場から車両を移動させた場合に、このユーザに優先情報を付与して充電設備の利用を優遇する処理を行う点で異なる。
そこで、実施の形態２に係るシステムの構成については、実施の形態１で示した図１と図２を参照するものとする。
【００７７】
充電用駐車場に係る店舗にいるユーザは、充電用駐車場に駐車して自身の車両の充電が完了したか否かによらず、通常店舗にいる間は車両を駐車場から移動させることはない。
しかしながら、充電用駐車場における充電効率を上げるためには、充電済みの車両は、直ちに充電用駐車場から移動してもらい、予約待ちの車両を引き続き充電させるよう促す必要がある。
【００７８】
そこで、本実施の形態では、充電済み車両を移動することに対してメリットを与える。
具体的には、図６のステップＳＴ３ｃにおいて、充電管理端末１からの移動依頼を受託したユーザに対して予め定めた条件で次回からの充電設備の利用を優先させる優先情報を付与する。優先情報としては、例えば、充電費用の割引や、予約待ちの順序が通常よりも上位に設定される優待券情報が挙げられる。
このようにすることで、ユーザが充電済み車両を積極的に充電用駐車場から移動させるようになり、利用可能となった充電設備で直ちに予約待ち車両の充電を開始することが可能となる。このため充電用駐車場の充電設備を利用した車両の充電効率を向上させることができる。
【００７９】
次に優待券の使用態様について説明する。
図１２は実施の形態２における充電効率管理装置の動作を示すフローチャートであり、充電効率管理装置として機能する充電管理端末１の動作を示している。また図１３は実施の形態３における車載器の動作を示すフローチャートであり、充電管理端末１による図１２の動作に応じて車載器７が行う動作である。なお図１３の動作は、車載器７の代わりに携帯端末８が行ってもよい。
【００８０】
また、図１２におけるステップＳＴ１からステップＳＴ８までの処理は、図３と同様であり、図１３におけるステップＳＴ１ａからステップＳＴ１４ａまでの処理は図４と同様であるので説明を省略する。
ステップＳＴ８−１において、充電管理端末１の判定部１０ｂは、記憶部１２に記憶されているユーザ情報を参照して、予約を行ったユーザに優待券が付与されているか否かを判定する。優待券を有していなければ（ステップＳＴ８−１；ＮＯ）、判定部１０ｂは、通信部１１を介して情報取得部１０ａが取得したユーザの予約情報をユーザ情報に紐付けて記憶部１２に登録する（ステップＳＴ９）。この予約情報は、予約した順に記憶部１２から読み出され、充電は先に予約したユーザが優先される。例えば、現在の予約待ち人数が２０人である場合、このユーザの予約順序は２１番目となる。
【００８１】
優待券がある場合（ステップＳＴ８−１；ＹＥＳ）、判定部１０ｂは、この判定結果を通知制御部１０ｃに送る。通知制御部１０ｃは、この判定結果を受けると、通信部１１に指示して優待券使用確認を、充電の予約しようとしているユーザの車載器７へ送信する（ステップＳＴ８−２）。
【００８２】
車載器７は、充電管理端末１からのメッセージが優待券の使用確認である場合（ステップＳＴ１５ａ）、優待券を使用するか否かを確認する（ステップＳＴ１６ａ）。
ユーザから優待券を使用する旨が入力された場合（ステップＳＴ１６ａ；ＹＥＳ）、車載器７は、優待券を使用することを充電管理端末１に送信する（ステップＳＴ１７ａ）。
一方、ユーザから優待券を使用しないことが入力された場合（ステップＳＴ１６ａ；ＮＯ）、車載器７は、充電管理端末１へ優待券不使用であることを送信する（ステップＳＴ１８ａ）。
【００８３】
充電管理端末１の判定部１０ｂは、車載器７へ送信された優待券使用確認に対する応答内容に基づいて、ユーザが優待券を使用するか否かを判定する（ステップＳＴ８−３）。
優待券不使用の応答があり、ユーザが優待券の使用を希望していないと判定した場合（ステップＳＴ８−３；ＮＯ）、ステップＳＴ９の処理に移行する。
【００８４】
優待券使用の応答があり、ユーザが優待券の使用を希望する場合（ステップＳＴ８−３；ＹＥＳ）、判定部１０ｂは、このユーザの優待券の内容、記憶部１２に既に登録されている予約情報および優待券情報に基づいて、このユーザの予約順序を変更する（ステップＳＴ８−４）。例えば、現在の予約待ち人数が２０人である場合、通常では２１番目となるところ、このユーザの予約待ち順序を優待券使用で１０番目に登録する。また優待券には優先レベルを設けて、優先レベルが高ければさらに前の順番（例えばこの場合、５番目）などに登録できるようにする。優待券の優先レベルは、例えば充電が完了したときに積極的に充電済み車両を充電用駐車場から移動してくれたユーザに対して移動回数に応じて優先レベルの高い優待券を付与する。
【００８５】
また帰宅せずに車両を移動したユーザに対して優待特典として以下の２点を選択できるようにしてもよい。
１つ目は当日の充電費用を例えば１０％割引を行う。
２つ目は、次回に充電設備が満車でありかつ予約待ち人数が閾値を超える場合に、予約待ち行列に並ぶ待ち順番を例えば１０人分前に並べる優待券を発行する。
【００８６】
以上のように、この実施の形態２によれば、情報取得部１０ａが、充電設備を有さない一般駐車場の駐車状況をさらに取得し、判定部１０ｂが、充電設備の使用状況および一般駐車場の駐車状況に基づいて、充電用駐車場のいずれの充電設備が使用中であるかおよび一般駐車場に空きがあるかを判定し、通知制御部１０ｃが、充電を継続しないことを返信したユーザが車両を一般駐車場に移動したことが判定された場合、通信部１１に指示して予め定めた条件で次回からの充電設備の利用を優先する優先情報をユーザの携帯端末８に送信させる。このように構成することで、ユーザが充電済み車両を積極的に充電用駐車場から移動させるようになり、利用可能となった充電設備で直ちに充電を開始することが可能となる。このため充電用駐車場の充電設備を利用した車両の充電効率を向上させることができる。
【００８７】
実施の形態３．
図１４は、この発明の実施の形態３に係る充電効率管理システムの構成を示すブロック図である。図１４に示す充電効率管理システムは、実施の形態１，２と同様に充電用駐車場および一般駐車場における車両の駐車を管理することにより車両の充電効率を管理するシステムであるが、充電管理端末１の代わりに充電管理端末１Ａを備え、さらに充電効率管理サーバ９を有する点で異なる。なお、図１４において、図１と同一構成には同一符号を付して説明を省略する。
【００８８】
充電管理端末１Ａは、図１に示した通信部１１、表示制御部１３および充電制御部１４を備え、制御部１０および記憶部１２が省略されている。従って、充電管理端末１Ａは、実施の形態１に係る充電管理端末１よりも演算処理能力が低い情報処理装置で実現することができる。充電管理端末１Ａの通信部１１が外部端末から受信した各種情報は、充電効率管理サーバ９へ適宜送られる。
【００８９】
充電効率管理サーバ９は、図１に示した制御部１０および記憶部１２を備えるサーバであり、充電管理端末１Ａと有線または無線で接続されて情報のやり取りが可能である。
図１４に示す充電効率管理システムでは、充電管理端末１の動作を充電管理端末１Ａと充電効率管理サーバ９との間で情報をやり取りして実行する以外、実施の形態１と同様である。
【００９０】
以上のように、この実施の形態３によれば、充電管理端末１Ａが通信部１１、表示制御部１３および充電制御部１４を備えており、充電管理端末１Ａと通信可能な充電効率管理サーバ９が制御部１０および記憶部１２を備える。
このように構成することでも、充電済み車両が充電用駐車場に駐車し続けることが抑制され、利用可能となった充電設備で直ちに充電を開始することが可能となる。これにより充電用駐車場の充電設備を利用した車両の充電効率を向上させることができる。
【００９１】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００９２】
１，１Ａ  充電管理端末、２  充電装置、２ａ  ケーブル、２ｂ  コネクタ、３  表示装置、４  駐車料金精算機、４ａ  駐車場ゲート、４ｂ  監視カメラ、５  ＰＯＳ端末、６  店舗出入口端末、７  車載器、８  携帯端末、９  充電効率管理サーバ、１０  制御部、１０ａ  情報取得部、１０ｂ  判定部、１０ｃ  通知制御部、１１  通信部、１２  記憶部、１３  表示制御部、１４  充電制御部。
【図１】
2015116010.tif 000003
【図２】
2015116010.tif 000004
【図３】
2015116010.tif 000005
【図４】
2015116010.tif 000006
【図５】
2015116010.tif 000007
【図６】
2015116010.tif 000008
【図７】
2015116010.tif 000009
【図８】
2015116010.tif 000010
【図９】
2015116010.tif 000011
【図１０】
2015116010.tif 000012
【図１１】
2015116010.tif 000013
【図１２】
2015116010.tif 000014
【図１３】
2015116010.tif 000015
【図１４】
2015116010.tif 000016